(57)【要約】本発明は、メチルセルロース、好ましくはさらにヒドロキシプロピルメチルセルロース、ポリエチレングリコール、オキシ酸及びその薬学的に許容される塩、アミノ酸及びその薬学的に許容される塩、及び尿素からなる群より選ばれる少なくとも１種を含む可逆性熱ゲル化水性組成物及びそれを用いた人工硝子体である。本発明の組成物は、眼組織に対して低毒性で、無菌であり、注入や抜去が容易で、体温でゲル化し、透明で眼底の観察が容易であり、タンポナーデ効果が期待される理想的な人工硝子体を提供する。【特許請求の範囲】
【請求項１】
メチルセルロースを含有する透明な可逆性熱ゲル化水性組成物。
【請求項２】
体温でゲル化し、且つ、ゲル化した後の光の透過率が水の透過率の７０％以上である請求項１に記載の可逆性熱ゲル化水性組成物。
【請求項３】
体温でゲル化し、且つ、ゲル化した後の光の透過率が水の透過率の８０％以上である請求項１に記載の可逆性熱ゲル化水性組成物。
【請求項４】
さらに、ヒドロキシプロピルメチルセルロース、ポリエチレングリコール、オキシ酸及びその薬学的に許容される塩、アミノ酸及びその薬学的に許容される塩、及び尿素からなる群より選ばれた少なくとも１種を含む請求項１〜３のいずれか１項に記載の可逆性熱ゲル化水性組成物。
【請求項５】
オキシ酸及びその薬学的に許容される塩が、クエン酸、酒石酸、リンゴ酸、乳酸、及びこれらの薬学的に許容される塩である請求項４に記載の可逆性熱ゲル化水性組成物。
【請求項６】
アミノ酸及びその薬学的に許容される塩が、グリシン、アスパラギン酸、ヒスチジン、グルタミン酸、リジン、アルギニン、アラニン、セリン、プロリン、メチオニン、タウリン、トレオニン、システイン、アミノ酢酸、バリン、トリプトファン、フェニルアラニン、ロイシン、イソロイシン、及びこれらの薬学的に許容される塩である請求項４に記載の可逆性熱ゲル化水性組成物。
【請求項７】
さらに薬物を含む請求項１〜６のいずれか１項に記載の可逆性熱ゲル化水性組成物。
【請求項８】
メチルセルロースの濃度が０．２〜７ｗ／ｖ％である請求項１〜７のいずれか１項記載の可逆性熱ゲル化水性組成物。
【請求項９】
ヒドロキシプロピルメチルセルロースを含み、その濃度が０．５〜６ｗ／ｖ％である請求項４〜８のいずれか１項記載の可逆性熱ゲル化水性組成物。
【請求項１０】
ポリエチレングリコールを含み、その濃度が０．１〜１３ｗ／ｖ％である請求項４〜８のいずれか１項記載の可逆性熱ゲル化水性組成物。
【請求項１１】
オキシ酸又はその薬学的に許容される塩を含み、その濃度が０．０１〜２．０ｗ／ｖ％である請求項４〜８のいずれか１項記載の可逆性熱ゲル化水性組成物。
【請求項１２】
アミノ酸又はその薬学的に許容される塩を含み、その濃度が０．０１〜２．０ｗ／ｖ％である請求項４〜８のいずれか１項記載の可逆性熱ゲル化水性組成物。
【請求項１３】
尿素を含み、その濃度が０．０１〜２．０ｗ／ｖ％である請求項４〜８のいずれか１項記載の可逆性熱ゲル化水性組成物。
【請求項１４】
（１）メチルセルロース０．２〜７ｗ／ｖ％、（２）ヒドロキシプロピルメチルセルロース０．５〜６ｗ／ｖ％、（３）ポリエチレングリコール０．１〜１３ｗ／ｖ％、及び（４）オキシ酸又はその薬学的に許容される塩０．０１〜２．０ｗ／ｖ％、アミノ酸又はその薬学的に許容される塩０．０１〜２．０ｗ／ｖ％及び尿素０．０１〜２．０ｗ／ｖ％からなる群から選ばれる少なくとも１種、を含む可逆性熱ゲル化水性組成物。
【請求項１５】
請求項１〜１４のいずれか１項記載の可逆性熱ゲル化水性組成物を用いた人工硝子体。
【発明の詳細な説明】
【技術分野】  本発明は透明な可逆性熱ゲル化水性組成物及び本組成物を用いた人工硝子体に関する。さらに詳しくは、硝子体内に注入したとき、体温によりゲル化することで、網膜に対するタンポナーデ効果をもたらす可逆性熱ゲル化水性組成物及びこれをを用いた人工硝子体に関する。
【背景技術】  硝子体手術は１９７０年頃から一般化し、硝子体混濁や網膜剥離に対して行われるようになった。さらに、手術技法やこれに伴う器具も年々改良され、種々の硝子体病変、網膜病変に対して手術療法が行われている。しかし、難治性網膜剥離は、硝子体手術後、網脈絡膜癒着を十分に得るために、硝子体腔内に硝子体に代わるタンポナーデ物質を注入し、網膜に対してタンポナーデ効果をもたらすことが必要である。このような物質は人工硝子体と呼ばれている。
これまで人工硝子体として用いられてきた物質は、実用化あるいは検討段階のものも含めて多数存在している。例えば、疎水性物質としては、シリコンオイル、フルオロシリコンオイル、液体パーフルオロカーボンなどがあるが、いずれも網膜に対する障害や毒性が懸念されている。親水性物質としては、ヒアルロン酸ナトリウム、ヒアルロン酸ナトリウムとコラーゲンの混合物、ポリビニルアルコールゲル、ポリビニルピロリドン、生理食塩水などが試みられているが、注入時の取り扱いが困難であり、また、手術後の眼圧上昇のため緑内障を誘発する危険も指摘されている。気体としては、パーフルオロプロパンガス、６フッ価イオウガスが臨床で広く使用されているが、術後の眼底の透見が困難で、眼圧上昇や眼組織への毒性が懸念されている。
理想的な人工硝子体とは、透明で眼底の観察が容易であり、眼内で安定で、眼圧の上昇、増殖性網膜症や炎症反応を起こしにくく、眼組織に対して毒性を持たず、無菌であり、注入や抜去が容易であるなどがあげられる。しかしながら、これらの条件を満たす人工硝子体は未だ開発されていない。
本発明者らは理想的な人工硝子体に、可逆性熱ゲル化水性医薬組成物（特許第２７２９８５９号）を用いることを検討した。この発明を用いた市販製剤であるリズモンＴＧ（登録商標）を分光光度計用の１ｃｍ四方のプラスチック製セルに入れ、１０℃、２４時間保存後、３７℃の水浴中で１時間保持した。この製剤は、眼組織に対して低毒性で、無菌であり、注入や抜去が容易であり、上記した理想的な人工硝子体の要件の多くを満たしていた。この製剤は体温でゲル化するため、眼内に注入した場合には眼内で体温により眼球の形でゲル化し、その形を長く維持するため強いタンポナーデ効果も期待できることが明らかとなった。
しかしながら、この製剤がゲル化した場合には白濁し、透明感がなくなり、上記したような理想的な人工硝子体として用いることは困難であることが明らかとなった。
【発明の開示】
本発明は、上記の現状に鑑み、体温でゲル化した場合に透明感の高い透明な可逆性熱ゲル化水性組成物及びこれを用いた人工硝子体を提供することを目的とするものである。
本発明者らは、体温でゲル化した場合に透明感の高い人工硝子体を与える可逆性熱ゲル化水性組成物の開発に向けて鋭意検討した。その結果、組成物がゲル化した場合の光の透過率が水のそれに比較して７０％以上であれば、人工硝子体として使用することが可能であるほど透明であり、且つ、メチルセルロースを含有する可逆性熱ゲル化水性組成物であれば、体温でゲル化した後もこのような透明感を維持できることを発見し、本発明を完成させた。本発明は以下の可逆性熱ゲル化水性組成物及びこれを用いた人工硝子体を提供するものである。
１．メチルセルロースを含有する透明な可逆性熱ゲル化水性組成物。
２．体温でゲル化し、且つ、ゲル化した後の光の透過率が水の透過率の７０％以上である上記１に記載の可逆性熱ゲル化水性組成物。
３．体温でゲル化し、且つ、ゲル化した後の光の透過率が水の透過率の８０％以上である上記１に記載の可逆性熱ゲル化水性組成物。
４．さらに、ヒドロキシプロピルメチルセルロース、ポリエチレングリコール、オキシ酸及びその薬学的に許容される塩、アミノ酸及びその薬学的に許容される塩、及び尿素からなる群より選ばれた少なくとも１種を含む上記１〜３のいずれか１項に記載の可逆性熱ゲル化水性組成物。
５．オキシ酸及びその薬学的に許容される塩が、クエン酸、酒石酸、リンゴ酸、乳酸、及びこれらの薬学的に許容される塩である上記４に記載の可逆性熱ゲル化水性組成物。
６．アミノ酸及びその薬学的に許容される塩が、グリシン、アスパラギン酸、ヒスチジン、グルタミン酸、リジン、アルギニン、アラニン、セリン、プロリン、メチオニン、タウリン、トレオニン、システイン、アミノ酢酸、バリン、トリプトファン、フェニルアラニン、ロイシン、イソロイシン、及びこれらの薬学的に許容される塩である上記４に記載の可逆性熱ゲル化水性組成物。
７．さらに薬物を含む上記１〜６のいずれか１項に記載の可逆性熱ゲル化水性組成物。
８．メチルセルロースの濃度が０．２〜７ｗ／ｖ％である上記１〜７のいずれか１項記載の可逆性熱ゲル化水性組成物。
９．ヒドロキシプロピルメチルセルロースを含み、その濃度が０．５〜６ｗ／ｖ％である上記４〜８のいずれか１項記載の可逆性熱ゲル化水性組成物。
１０．ポリエチレングリコールを含み、その濃度が０．１〜１３ｗ／ｖ％である上記４〜８のいずれか１項記載の可逆性熱ゲル化水性組成物。
１１．オキシ酸又はその薬学的に許容される塩を含み、その濃度が０．０１〜２．０ｗ／ｖ％である上記４〜８のいずれか１項記載の可逆性熱ゲル化水性組成物。
１２．アミノ酸又はその薬学的に許容される塩を含み、その濃度が０．０１〜２．０ｗ／ｖ％である上記４〜８のいずれか１項記載の可逆性熱ゲル化水性組成物。
１３．尿素を含み、その濃度が０．０１〜２．０ｗ／ｖ％である上記４〜８のいずれか１項記載の可逆性熱ゲル化水性組成物。
１４．（１）メチルセルロース０．２〜７ｗ／ｖ％、（２）ヒドロキシプロピルメチルセルロース０．５〜６ｗ／ｖ％、（３）ポリエチレングリコール０．１〜１３ｗ／ｖ％、及び（４）オキシ酸又はその薬学的に許容される塩０．０１〜２．０ｗ／ｖ％、アミノ酸又はその薬学的に許容される塩０．０１〜２．０ｗ／ｖ％及び尿素０．０１〜２．０ｗ／ｖ％からなる群から選ばれる少なくとも１種、を含む可逆性熱ゲル化水性組成物。
１５．上記１〜１４のいずれか１項記載の可逆性熱ゲル化水性組成物を用いた人工硝子体。
【発明を実施するための最良の形態】  本発明は、メチルセルロースを含有する透明な可逆性熱ゲル化水性組成物であり、また眼組織に対して低毒性で、無菌であり、注入や抜去が容易で、体温でゲル化し、透明で眼底の観察が容易であり、強いタンポナーデ効果が期待されるメチルセルロースを含有する可逆性熱ゲル化水性組成物である。さらに、ヒドロキシプロピルメチルセルロース、ポリエチレングリコール、オキシ酸及びその薬学的に許容される塩、アミノ酸及びその薬学的に許容される塩、及び尿素からなる群より選ばれた少なくとも１種を含む可逆性熱ゲル化水性組成物も本発明に含まれる。また、薬物を含む可逆性熱ゲル化水性組成物も本発明に含まれる。
本発明の可逆性熱ゲル化水性組成物はメチルセルロース、好ましくはさらにヒドロキシプロピルメチルセルロース、ポリエチレングリコール、オキシ酸及びその薬学的に許容される塩、アミノ酸及びその薬学的に許容される塩、及び尿素からなる群より選ばれる少なくとも１種を含む可逆性熱ゲル化水性組成物である。
本発明の組成物に用いられるメチルセルロース（以下、ＭＣと略称することもある）は、その２ｗ／ｖ％水溶液の２０℃における粘度が３〜１２０００ミリパスカル・秒の範囲のものであればいずれのＭＣでも単独または混合して使用することができる。メトキシル基の含有率は水に対する溶解性の観点から２６〜３３％の範囲が好ましい。さらにＭＣはその水溶液の粘度により区別され、例えば、市販品の品種には表示粘度４、１５、２５、１００、４００、１５００、８０００（数字は２ｗ／ｖ％水溶液の２０℃粘度のミリパスカル・秒）のものがあり、容易に入手可能である。好ましくは表示粘度４〜４００のＭＣが、眼内に注入する場合取り扱いやすいため好ましい。ＭＣの概要、規格、用途、使用量及び商品名などについては医薬品添加物事典（日本医薬品添加物協会編集、薬事日報社発行）に詳細に記載されている。
本発明に用いられるヒドロキシプロピルメチルセルロース（以下、ＨＰＭＣと略称することもある）は、そのメトキシル基及びヒドロキシプロピル基の含有率により３種類（２２０８、２９０６及び２９１０）に分けられ、さらにそれぞれその水溶液の粘度により区別され、例えば、市販品の品種には表示粘度４〜１０００００（数字は２ｗ／ｖ％水溶液の２０℃粘度のミリパスカル・秒）のものがあり、容易に入手可能である。本発明で用いられるＨＰＭＣは、取り扱いの点から、表示粘度１００００以下のものが好ましい。ＨＰＭＣの概要、規格、用途、使用量及び商品名などについては医薬品添加物事典（日本医薬品添加物協会編集、薬事日報社発行）に詳細に記載されている。
本発明に用いられるポリエチレングリコール（以下、ＰＥＧと略称することもある）は、ＰＥＧ−２００、−３００、−６００、−１０００、−１５４０、−２０００、−４０００、−６０００、−２００００、−５００００、−５０００００、−２００００００及び−４００００００の商品名で和光純薬工業（株）からまたマクロゴール−２００、−３００、−４００、−６００、−１０００、−１５４０、−４０００、−６０００、−２００００の商品名で日本油脂（株）より販売されている。本発明の基剤に用いられるＰＥＧの重量平均分子量は３００〜５００００が好ましく、１０００〜２００００が特に好ましい。また、２種以上のＰＥＧを混合して重量平均分子量を上記の至適範囲内に調整することも可能である。ＰＥＧの概要、規格、用途、使用量及び商品名などについては医薬品添加物事典（日本医薬品添加物協会編集、薬事日報社発行）に詳細に記載されている。
本発明に用いられるオキシ酸としては、クエン酸、酒石酸、リンゴ酸、乳酸などを例示できる。また、オキシ酸の薬学的に許容し得る塩としては、ナトリウム塩、カリウム塩などを例示できる。
本発明に用いられるアミノ酸としては、グリシン、アスパラギン酸、ヒスチジン、グルタミン酸、リジン、アルギニン、アラニン、セリン、プロリン、メチオニン、タウリン、トレオニン、システイン、アミノ酢酸、バリン、トリプトファン、フェニルアラニン、ロイシン、イソロイシンなどを例示できる。また、薬学的に許容し得る塩としては、塩酸塩、硫酸塩、ナトリウム塩、カリウム塩などを例示できる。さらに、市販の静注用栄養補給剤であるアミノ酸輸液を用いることができる。
本発明の組成物は、眼組織に低毒性で、体温でゲル化し、且つ、ゲル化した後の光の透過率が水のそれに比較して低すぎず、例えば、７０％以上であれば、組成物の各成分の濃度範囲に特に制限はないが、ＭＣ、及びＨＰＭＣ、ＰＥＧ、オキシ酸及びその薬学的に許容される塩、アミノ酸及びその薬学的に許容される塩、及び尿素からなる群より選ばれる少なくとも１種を含む場合、以下の濃度範囲が以下の理由により好ましい。
ＭＣの使用濃度は０．２〜７ｗ／ｖ％であることが好ましい。ＭＣの濃度が０．２ｗ／ｖ％未満では、体温で組成物がゲル化しにくく、ＭＣの濃度が７ｗ／ｖ％を超えると、体温で組成物がゲル化してもゲルが透明になりにくい。
ＨＰＭＣの使用濃度は０．５〜６ｗ／ｖ％であることが好ましい。ＨＰＭＣの濃度が０．５ｗ／ｖ％未満では、体温で組成物がゲル化しにくく、ＨＰＭＣの濃度が６ｗ／ｖ％を超えると、体温で組成物がゲル化してもゲルが透明になりにくい。
ＰＥＧの使用濃度は通常０．１〜１３ｗ／ｖ％である。ＰＥＧの濃度が０．１ｗ／ｖ％未満では、体温で組成物がゲル化しにくく、ＰＥＧの濃度が１３ｗ／ｖ％を超えると、組成物の粘度が高くなりすぎて取り扱いにくくなる。
オキシ酸及び／又はその薬学的に許容される塩の使用濃度は通常０．０１〜２．０ｗ／ｖ％であり、好ましくは０．０５〜１．０ｗ／ｖ％である。オキシ酸及び／又はその薬学的に許容される塩の濃度が０．０１ｗ／ｖ％未満では、体温で組成物がゲル化しにくく、２．０ｗ／ｖ％を超えると、体温で組成物がゲル化してもゲルが透明になりにくい。
アミノ酸及び／又はその薬学的に許容される塩の使用濃度は通常０．０１〜２．０ｗ／ｖ％であり、好ましくは０．０５〜１．０ｗ／ｖ％である。アミノ酸及び／又はその薬学的に許容される塩の濃度が０．０１ｗ／ｖ％未満では、体温で組成物がゲル化しにくく、２．０ｗ／ｖ％を超えると、体温で組成物がゲル化してもゲルが透明になりにくい。
尿素の使用濃度は通常０．０１〜２．０ｗ／ｖ％であり、好ましくは０．０５〜１．０ｗ／ｖ％である。尿素の濃度が０．０１ｗ／ｖ％未満では、体温で組成物がゲル化しにくく、２．０ｗ／ｖ％を超えると、体温で組成物がゲル化してもゲルが透明になりにくい。
従って、０．２〜７ｗ／ｖ％ＭＣ、０．５〜６ｗ／ｖ％ＨＰＭＣ、０．１〜１３ｗ／ｖ％ＰＥＧ、及び０．０１〜２．０ｗ／ｖ％オキシ酸、０．０１〜２．０ｗ／ｖ％アミノ酸及び０．０１〜２．０ｗ／ｖ％尿素からなる群から選ばれる少なくとも１種からなる透明な可逆性熱ゲル化水性組成物及びこれを用いた人工硝子体は本発明の好ましい態様のひとつである。
本発明の可逆性熱ゲル化水性組成物は、室温またはそれ以下では液体であり哺乳類、特にヒトの体温でゲル化することが所望され、且つ、タンポナーデ効果を得るために、体温に暴露後、２時間以内にゲル化することが好ましい。またゲル化後の光（６６０ｎｍ）の透過率は、水の透過率に比較したとき、好ましくは７０％以上であり、より好ましくは８０％以上である。
本発明の可逆性熱ゲル化水性組成物には薬物を含有させることができる。このような薬物としては、例えば、アムホテリシンＢ、フルコナゾール、硝酸ミコナゾールなどの抗真菌剤、コリスチンメタンスルホン酸ナトリウム、カルベニシリンナトリウム、硫酸ゲンタマイシン、エリスロマイシン、トブラマイシン、カナマイシンなどの抗生物質、アシタザノラスト、フマル酸ケトチフェン、クロモグリク酸ナトリウム、トラニラストなどの抗アレルギー薬、リン酸ベタメタゾン、デキサメタゾン、ヒドロコルチゾン、ジクロフェナクナトリウム、プラノプロフェン、インドメタシン、ブロムフェナクナトリウム、メロキシカム、ロルノキシカムなどの抗炎症剤、フラビンアデニンジヌクレオチド、リン酸ピリドキサール、シアノコバラミンなどのビタミン薬、シクロスポリン、タクロリムス、ミコフェノール酸などの免疫抑制薬、アミノグアニジン、エパルレスタットなどの糖尿病用薬、コンドロイチン硫酸ナトリウム、タウリンなどのアミノ酸、ヒアルロン酸ナトリウムなどの手術助剤、塩酸シプロフロキサシン、塩酸ロメフロキサシン、オフロキサシン、レボフロキサシン、トシル酸パズフロキサシン、ガチフロキサシン、塩酸モキシフロキサシンなどの合成抗菌剤、マイトマイシンＣ、５−フルオロウラシル、アドリアマイシンなどの抗悪性腫瘍剤、アシクロビル、ガンシクロビル、シドフォビル、ソリブジン、トリフルオロチミジンなどの抗ウイルス剤などを挙げることができる。これら薬物の配合量は期待される薬効が得られる濃度であれば特に制限はなく、通常は０．００１〜５．０ｗ／ｖ％が適当である。
本発明で用いられる可逆性熱ゲル化水性組成物はその特性を生かして、人工硝子体だけではなく、注射剤、経口剤、点耳剤、点鼻剤、点眼剤、塗布剤などにも使用することができる。
本発明の可逆性熱ゲル化水性組成物は通常ｐＨ４〜１０に調整され、特にｐＨ６〜８で調整されることが好ましい。本発明の可逆性熱ゲル化水性組成物のｐＨを調整するために、通常添加される種々のｐＨ調整剤が使用される。酸類としては、例えば、アスコルビン酸、塩酸、グルコン酸、酢酸、乳酸、ホウ酸、リン酸、硫酸、クエン酸などが挙げられる。塩基類としては、例えば、水酸化カリウム、水酸化カルシウム、水酸化ナトリウム、水酸化マグネシウム、モノエタノールアミン、ジエタノールアミン、トリエタノールアミンなどが挙げられる。その他のｐＨ調整剤として、グリシン、ヒスチジン、イプシロンアミノカプロン酸などのアミノ酸類なども挙げることができる。
本発明の可逆性熱ゲル化水性組成物を調製するにあたって、薬学的に許容し得る等張化剤、可溶化剤、保存剤及び防腐剤などを必要に応じて、本発明の効果を損なわない範囲で本発明の可逆性熱ゲル化水性組成物に添加することができる。等張化剤としてはキシリトール、マンニトール、ブドウ糖等の糖類、プロピレングリコール、グリセリン、塩化ナトリウム、塩化カリウムなどが挙げられる。可溶化剤としては、ポリソルベート８０、ポリオキシエチレン硬化ヒマシ油及びシクロデキストリンが挙げられる。保存剤としては塩化ベンザルコニウム、塩化ベンゼトニウム及びグルコン酸クロルヘキシジンなどの逆性石鹸類、パラヒドロキシ安息香酸メチル、パラヒドロキシ安息香酸プロピル、パラヒドロキシ安息香酸ブチル等のパラベン類、クロロブタノール、フェニルエチルアルコール及びベンジルアルコールなどのアルコール類、デヒドロ酢酸ナトリウム、ソルビン酸及びソルビン酸カリウムなどの有機酸及びその塩類が使用できる。また、その他の添加剤としてヒドロキシエチルセルロース、ポリビニルピロリドン、ポリビニルアルコール、プロピレングリコール、ジエチレングリコールもしくはポリアクリル酸ナトリウム等の増粘剤、ＥＤＴＡ（エチレンジアミン四酢酸）及びそれらの薬学的に許容される塩、トコフェロール及びその誘導体、亜硫酸ナトリウムなどの安定化剤が挙げられる。
本発明の可逆性熱ゲル化水性組成物は例えば、次のように製造することができる。ＭＣと、必要に応じてＨＰＭＣとＰＥＧを７０℃以上の熱水に分散させ、氷冷する。ここに必要に応じてアミノ酸や薬物、添加剤などを添加溶解し良く混合する。ｐＨを調整し、滅菌精製水でメスアップし本発明の可逆性熱ゲル化水性組成物を調製する。調製した本発明の可逆性熱ゲル化水性組成物をメンブランフィルターによるろ過滅菌後、ガラス製アンプルに充填する。
以下に実施例を挙げて本発明をさらに詳細に説明するが、これらの実施例は本発明の範囲を限定するものではない。
【実施例１】  メチルセルロース（信越化学工業（株）製、メトローズ（登録商標）ＳＭ−４）およびＰＥＧ４０００（マクロゴール４０００、日本油脂（株）製）を所定量混合し、ここに８５℃に加熱した滅菌精製水を添加し、攪拌することで分散させた。均一に分散したことを確認後、攪拌しながら氷冷した。全体が澄明になったことを確認し、クエン酸ナトリウムを所定量徐々に添加し、溶解後均一に混合した。さらに、１ＮのＮａＯＨもしくは１ＮのＨＣｌでｐＨを７．８に調整後、滅菌精製水で所定の容量にし、本発明の可逆性熱ゲル化水性組成物及び比較用可逆性熱ゲル化水性組成物を調製した。
試験例１
〔試験方法〕
調製した可逆性熱ゲル化水性組成物の熱ゲル化状態、ゲル化後の透過率及びゲルを通して物を見たときの見やすさについて検討した。
本発明もしくは比較用の可逆性熱ゲル化水性組成物、もしくはリズモンＴＧ（登録商標）の３ｍＬを分光光度計用の縦１ｃｍ×横１ｃｍのプラスチック製セルに入れ、１０℃で２４時間保存後、３７℃に保持した水槽で１時間加温した。直ちに、セルを分光光度計に入れ、６６０ｎｍの光の透過率を測定した。同様な方法で求めた水の透過率と人工硝子体の透過率を比較し、水の透過率に対する人工硝子体の透過率を透過度として求めた。透過率の測定後、セルを傾け、３７℃１時間の加熱でゲルが生成したかを観察した。
これとは別に、同じように可逆性熱ゲル化水性組成物をセルに入れ、３７℃で１時間加温し、ゲル化させた試料を用意した。別に、直径３ｍｍの赤い点がある白色紙を用意した。ゲル化させたセルを２つ重ね、重ねたセル越しに赤い点を見た。この赤い点の見え方を次のスコアにあわせて評価した。
見やすさのスコア：  見えない              ０点
わずかに見える        １点
見づらい              ２点
わずかにかすむ程度    ３点
澄明                  ４点
ボランティア５名により、それぞれの組成物について見やすさを評価した。５名分のスコアを平均し、これをその組成物の見やすさの評価とした。
試験に供した可逆性熱ゲル化水性組成物の熱ゲル化状態、ゲル化後の透過率及び見やすさの評価結果を表１に示した。いずれの組成物も３７℃１時間の加熱でゲル化しており、反転させてもゲルがセルから流れ出ることはなかった。
一方、組成物によって透過度に差があり、それに伴って見やすさのスコアに差があった。比較用組成物であるリズモンＴＧ（登録商標）の見やすさは見づらい〜わずかに見える、もしくはわずかに見える〜見えないという結果になり、比較用組成物がゲル化した場合はゲルを通して物を見ることが困難であり、人工硝子体としての使用が困難であることが示された。一方、本発明の組成物の見やすさはわずかにかすむ程度〜見づらい、もしくはわずかにかすむ〜澄明であり、ゲルを通して物を見ることが容易であり透明感が高く、人工硝子体として使用が可能であることが示された。また、表１に示したように、ゲルの透過度と見やすさは比例関係にあり、人工硝子体として使用する場合のゲルの透過度は７０％以上必要であることが明らかとなった。
2004026953.tif 000002
【実施例２】  ＳＭ−４、ＨＰＭＣ（信越化学工業（株）製、ＴＣ−５ＲＷ）およびＰＥＧ４０００を所定量混合し、ここに８５℃に加熱した滅菌精製水を添加し、攪拌することで分散させた。均一に分散したことを確認後、攪拌しながら氷冷した。全体が澄明になったことを確認し、オキシ酸、アミノ酸もしくは尿素を所定量徐々に添加し、均一に混合もしくは溶解した。さらに、１ＮのＮａＯＨもしくは１ＮのＨＣｌで所定のｐＨに調整後、液全体が澄明であることを確認した。これを滅菌精製水で所定の容量にし、本発明の可逆性熱ゲル化水性組成物を調製した。これを、試験例１と同様に、セルに入れ、同条件でゲル化させ、ゲル化状態、透過度を評価した。結果を表２に示した。調製したいずれの組成物も３７℃１時間の加温でゲル化し、透過度も７０％以上であり、人工硝子体として使用可能であることが示された。
2004026953.tif 000003
2004026953.tif 000004
2004026953.tif 000005
2004026953.tif 000006
2004026953.tif 000007
【実施例３】  ＳＭ−４、ＨＰＭＣ（信越化学工業（株）製、ＴＣ−５ＲＷ）およびＰＥＧ４０００を所定量混合し、ここに８５℃に加熱した滅菌精製水を添加し、攪拌することで分散させた。均一に分散したことを確認後、攪拌しながら氷冷した。全体が澄明になったことを確認し、グリシン及び、オフロキサシンもしくはジクロフェナクナトリウムを所定量徐々に添加し、均一に混合した。さらに、１ＮのＮａＯＨもしくは１ＮのＨＣｌで所定のｐＨに調整後、液全体が澄明であることを確認した。これを滅菌精製水で所定の容量にし、本発明の薬物を含む可逆性熱ゲル化水性組成物を調製した。これを、試験例１と同様に、セルに入れ、同条件でゲル化させ、ゲル化状態、透過度を評価した。結果を表３に示した。調製したいずれの組成物も３７℃１時間の加温でゲル化し、透過度も７０％以上であり、人工硝子体として使用可能であることが示された。
2004026953.tif 000008
【実施例４】  ＳＭ−４およびＰＥＧ４０００を所定量混合し、ここに８５℃に加熱した滅菌精製水を添加し、攪拌することで分散させた。均一に分散したことを確認後、攪拌しながら氷冷した。全体が澄明になったことを確認し、グリシンもしくはセリン、及びＮａＣｌを所定量徐々に添加し、溶解した。さらに、１ＮのＮａＯＨで所定のｐＨに調整後、液全体が澄明であることを確認した。これを滅菌精製水で所定の容量にし、本発明の可逆性熱ゲル化水性組成物を調製した。これを、試験例１と同様に、セルに入れ、同条件でゲル化させ、ゲル化状態、透過度を評価した。結果を表４に示した。調製したいずれの組成物も３７℃１時間の加温でゲル化し、透過度も７０％以上であり、人工硝子体として使用可能であることが示された。
2004026953.tif 000009
2004026953.tif 000010
2004026953.tif 000011
試験例２
本発明の可逆性熱ゲル化水性組成物の家兎眼への注入試験
〔試験方法〕
白色家兎に硝子体手術を施行し、液−空気置換後、実施例４で調製した処方３０を約２ｍＬ、硝子体腔内に注入した。術翌日から１ヶ月まで細隙灯顕微鏡、倒像眼底鏡にて経過観察を行い、眼圧及び網膜電位図を経時的に測定した。その結果、全過程を通じ、角膜混濁や角膜浮腫、前房のフィブリン析出、水晶体混濁、硝子体混濁、眼圧上昇は見られなかった。また、網膜電位図は僚眼と比較し、振幅の強弱、潜時の延長は見られなかった。
本発明の可逆性熱ゲル化水性組成物は体温によりゲル化を生じた後も眼底の透明性に優れ、眼組織に対する侵襲も見られないため、優れた人工硝子体であることが明らかとなった。
試験例３
薬物を含有した本発明の人工硝子体からの薬物放出試験
〔試験方法〕
以下に記載した薬物を所定量、実施例４で調製した本発明の可逆性熱ゲル化水性組成物（処方Ｎｏ．２８）１００ｍＬに溶解もしくは懸濁させた。これの５ｍＬを、内径１４．５ｍｍのガラス製円柱管に入れ、５０℃で１５分間加熱し、ゲル化させた。加熱後直ちに、これとは別にＰＢＳ２５ｍＬを入れた内径２６ｍｍのガラス製円柱管に、ゲル化した本発明の人工硝子体が入ったガラス管を入れ、ふたをし、４０℃で保持した。
経時的にＰＢＳをサンプリングし、本発明の人工硝子体からＰＢＳ中に放出された薬物濃度を測定した。薬物濃度は全て、ＨＰＬＣ法を用いて求めた。
本発明の人工硝子体に添加した薬物量から１００％放出濃度を求め、これとＰＢＳ中の薬物濃度を比較し、ＰＢＳ中に放出された薬物の放出率を以下の式より求めた。
放出率（％）＝  ＰＢＳ中の薬物濃度×１００／１００％放出濃度
使用した薬物：
ジクロフェナクナトリウム（ＤＦＮａ）        １００％放出濃度    １０μｇ／ｍＬ
リン酸ベタメタゾンナトリウム（ＢＳＰ）      １００％放出濃度  １００μｇ／ｍＬ
レボフロキサシン（ＬＶＦＸ）                １００％放出濃度    １６μｇ／ｍＬ
シクロスポリンＡ（ＣｙＡ）                  １００％放出濃度  １６７μｇ／ｍＬ
タクロリムス                                １００％放出濃度    １６μｇ／ｍＬ
放出試験の結果を表５〜９に示した。薬物により放出速度に違いはあるが、いずれの場合でもゲルから薬物が放出されるまで、４〜６０日以上必要とした。これは、本発明の人工硝子体からの薬物放出はゆっくりとしており、徐放性製剤として優れていることを示している。
2004026953.tif 000012
2004026953.tif 000013
2004026953.tif 000014
2004026953.tif 000015
2004026953.tif 000016
【実施例５】  ３．０ｇのＳＭ−４および３．０ｇのＰＥＧ４０００を混合し、ここに８５℃に加熱した滅菌精製水を添加し、攪拌することで分散させた。均一に分散したことを確認後、攪拌しながら氷冷した。全体が澄明になったことを確認し、０．１ｇのレボフロキサシン（ＬＶＦＸ）、０．８ｇのグリシン及び０．５ｇのＮａＣｌを徐々に添加し、溶解した。さらに、０．１ＮのＮａＯＨで所定のｐＨに調整後、液全体が澄明であることを確認した。これを滅菌精製水で所定の容量にし、本発明のＬＶＦＸ含有可逆性熱ゲル化水性組成物（ＬＶＦＸ−ＷＴＧ）を調製した。
これとは別に、オキシグルタチオン眼灌流・洗浄液（ＢＳＳ  ＰＬＵＳ（登録商標）、参天製薬株式会社）にＬＶＦＸを５．０ｍｇ／ｍＬになるように溶解した。これをＬＶＦＸ比較溶液とした。
試験例４
＜ＬＶＦＸ−ＷＴＧ又はＬＶＦＸ溶液の家兎硝子体及び房水中の滞留性試験＞
日本白色種家兎（雄性、体重２．５〜３．０ｋｇ）に、実施例５で調製したＬＶＦＸ−ＷＴＧ又はＬＦＶＸ比較溶液を硝子体腔内に注入し、術後３日目の硝子体及び前房水中のＬＶＦＸ濃度を測定した。
ＬＶＦＸ−ＷＴＧは次のように注入した。白色家兎の片眼に硝子体切除術を施行した。まず、全身麻酔を施した後、散瞳剤を点眼することにより充分に散瞳した。結膜剥離後、強膜創を２ヶ所作成し、片方にｉｎｆｕｓｉｏｎ  ｔｕｂｅを縫着し、オキシグルタチオン眼灌流・洗浄液（ＢＳＳ  ＰＬＵＳ（登録商標）、参天製薬株式会社）を灌流した。もう一方より、硝子体カッターを挿入しｃｏｒｅ  ｖｉｔｒｅｃｔｏｍｙを施行、硝子体を充分切除した後同じ強膜創から注射針でＬＶＦＸ−ＷＴＧを０．５ｍＬ（ＬＶＦＸ含有量５００μｇ）を注入し、２つの強膜創を縫合し終了した。対照眼は無処置とした。
ＬＶＦＸ比較溶液は次のように注入した。白色家兎の片眼に点眼麻酔を施し、角膜輪部より注射針を刺入して前房水約０．２ｍＬを吸引採取した後、注射針を球結膜上から直接硝子体内中央まで刺入して、比較溶液０．１ｍＬ（ＬＶＦＸ含有量５００μｇ）を一度に（ｏｎｅ  ｓｈｏｔ）注入した。対照眼は無処置とした。
硝子体中のＬＶＦＸ濃度は次のように求めた。採取した硝子体をホモジナイズした後、有機溶媒を用いてＬＶＦＸを抽出し、ＨＰＬＣによる測定を行った。
前房水中のＬＶＦＸ濃度は、前房水をフィルター濾過した後、濾過液をＨＰＬＣで分析することにより求めた。
得られた硝子体中及び前房水中のＬＶＦＸ濃度を表１０に示した。表１０の結果より、ＬＶＦＸ−ＷＴＧ注入後３日目の硝子体及び前房水中ＬＶＦＸ濃度は、ＬＶＦＸ比較溶液に対してそれぞれ４．１、７．３倍高濃度であり、前房水においては有意に高い値を示した。これらの結果より、薬物を含む人工硝子体は徐放性製剤として優れていることが示された。
2004026953.tif 000017
【産業上の利用可能性】  本発明の可逆性熱ゲル化水性組成物は、上述の構成よりなるので、眼組織に対して低毒性で、無菌であり、注入や抜去が容易であり、体温でゲル化し、透明で眼底の観察が容易であり、強いタンポナーデ効果が期待される理想的な人工硝子体を提供することができる。
【国際調査報告】
2004026953.tif 000018
2004026953.tif 000019
2004026953.tif 000020
2004026953.tif 000021
2004026953.tif 000022
2004026953.tif 000023